(57)【要約】【課題】容器本体をビス、ナットを用いることなく簡単に組立て、折畳みおよび取り外しができるようにする。【解決手段】  底板１１に重なる折り畳み状態と直角となる起立状態と間を回動自在にすると共に前記底板１１から離脱可能にした左右の側面板１２Ａ，１２Ｂと、左右の側面板に嵌合離脱自在にされた正面板１４Ａと背面板１４Ｂとよりなり、左右の側面板１２Ａ，１２Ｂを底板１１に起立状態に保持し、起立状態に保持されたの左右の側面板と正面板および背面板とを嵌合し容器本体を形成し、前記左右の側面板および正背面板との嵌合を解除した状態で、前記左右の側面板を底板から離脱可能にする。【選択図】図１
2006076646.tif 000002
【特許請求の範囲】
【請求項１】
金属性の底板と、
前記底板に重なる折り畳み状態と直角となる起立状態と間を回動自在にすると共に前記底板から離脱可能にした金属性の左右の側面板と、
前記左右の側面板に嵌合離脱自在にされた金属製の正面板と背面板とよりなり、
前記底板に起立状態に保持された左右の側面板と正面板および背面板とを嵌合し容器本体を形成し、
前記左右の側面板および正面板と背面板との嵌合を解除し、左右の側面板を折畳み収納状態に可能にすると共に、
前記左右の側面板および正面板と背面板との嵌合を解除した状態で、前記左右の側面板を底板から離脱可能にしたことを特徴とする輸送用容器。
【請求項２】
金属製の底板と、
前記底板の角部に設けられ、第１、第２嵌合片および前記第１、第２嵌合片を連結するガイド溝を有し一端が開口する嵌合溝が形成された支持部材と、
前記支持部材の嵌合溝に嵌合する第１、第２嵌合ピンを有する金属製の左右の側面板と、
前記左右の側面板に設けた係合片に係合される係合部材を各々有する金属製の正面板と背面板とよりなり、
前記左右の側面板の第１嵌合ピンを前記嵌合溝の第１嵌合片に嵌合し、第２嵌合ピンを第２嵌合片に嵌合することにより前記左右の側面板を前記底板に起立状態に保持し、起立状態に保持された左右の側面板の係合片に正面板と背面板の係合部材を嵌合し容器本体を形成し、
前記左右の側面板および正面板と背面板との嵌合を解除することにより、左右の側面板を第２嵌合ピンを中心に回動させることにより折畳み収納状態に可能にし、
前記左右の側面板および正面板と背面板との嵌合を解除した状態で、第１、第２嵌合ピンを前記開口より前記嵌合溝から離脱させ、左右の側面板を底板から取外可能にしたことを特徴とする輸送用容器。
【請求項３】
前記左右の側面板の第２嵌合ピンが嵌合する前記支持部材の嵌合溝の第2嵌合片は下方斜めに傾斜させたことを特徴とする請求項２記載の輸送用容器。
【請求項４】
金属製の底板と、
前記底板の角部に設けられ、第１、第２嵌合片および前記第１、第２嵌合片を連結するガイド溝を有し一端が開口する嵌合溝が形成された支持部材と、
前記支持部材の嵌合溝に嵌合する第１、第２嵌合ピンと前記第１、第２嵌合ピンを挟んで設けられ先端が左右対称に外方向に屈曲する保持片が設けられた先端部とを有する係合片が設けられ、棚板を載置する桟を一面に有する金属製の左右の側面板と、
前記左右の側面板に設けた係合片に係合される係合部材を有する金属製の正面板と背面板とよりなり、
前記左右の側面板の第１嵌合ピンを前記嵌合溝の第１嵌合片に嵌合し、第２嵌合ピンを第２嵌合片に嵌合することにより前記左右の側面板を前記底板に起立状態に保持し、前記桟を有する面又は反対面の何れの面を内側にして起立状態に保持された左右の側面板の係合片に正面板と背面板を嵌合し容器本体を形成し、
前記左右の側面板および正面板と背面板との嵌合を解除することにより、左右の側面板を第２嵌合ピンを中心に回動させることにより折畳み収納状態に可能にし、
前記左右の側面板および正面板と背面板との嵌合を解除した状態で、第１、第２嵌合ピンを前記開口より前記嵌合溝から離脱させ、左右の側面板を底板から取外可能にしたことを特徴とする輸送用容器。
【請求項５】
金属製の底板の角部に設けられ、第１、第２嵌合片およびガイド溝を有し一端が開口する嵌合溝が形成された支持部材と、
前記支持部材の嵌合溝に嵌合する第１、第２嵌合ピンを有する金属製の左右の側面板と、
前記左右の側面板に設けた係合片に係合される係合部材を各々有する金属製の正面板と背面板とよりなり、
左右の側面板を第１嵌合ピンを第１嵌合片に嵌合し、第２嵌合ピンを第２嵌合片に嵌合することにより前記底板に起立状態に保持し、起立状態に保持された左右の側面板の係合片に正面板と背面板の係合部材を嵌合し容器本体を形成し、
前記容器本体の蓋体の固定部材に別の容器本体の保持部材を載置できるようにして、容器本体を重ね合わせ輸送することを特徴とする輸送用容器の輸送方法。
【発明の詳細な説明】
【技術分野】
【０００１】
本発明は、工具を用いることがなく容器本体を組立てることができるようにすると共に、輸送時には工具を用いることがなく分解し正背面板および左右の側面板を積重ね回収できるようにし、また清掃時には正背面板および左右の側面板を完全に分離離脱できるようにした輸送用容器およびその輸送方法に関するものである。
【背景技術】
【０００２】
従来、魚介類、果実或いは野菜などの生鮮食料品である物品は生産地または加工地より一括して輸送し、消費地で実際に販売される大きさに分けられ販売されることが多く行われている。
【０００３】
斯かる場合に生鮮食料品である物品を一括してビニール袋に詰め、そのビニール袋を木箱またはダンボールに収納し、この木箱またはダンボールをコンテナー内に多数収納して輸送していた。この場合、生鮮食料品である物品などの物品を輸送後、空になった物品包装用のビニールなどを含む木箱またはダンボールは返却費用がかかってしまうため返却せずに産業廃棄物として焼却処分し、空になった木箱またはダンボールの返却費用を軽減していた。
【０００４】
しかしながら、生鮮食料品などの物品を輸送した後の木製の空箱またはダンボールを焼却すると有害ガスが発生してしまう。近年では有害ガスなどによる環境破壊が問題となってきており、産業廃棄物の焼却処分には高額な費用負担をしなければならない。このため、生鮮食料品である物品などの物品を輸送後、空になった木箱またはダンボールを焼却せず、然も、返却費用を軽減できる輸送用容器の開発が望まれていた。
【０００５】
そこで、木箱またはダンボールの代わりに金属で組立てできる輸送用容器を形成し、生鮮食料品等を物品をビニールに詰め、ビニールに詰められた物品を組み立てられた輸送用容器に収納し、コンテナで詰め込み輸送し、輸送後は輸送用容器を分解し回収することは本件出願人が先に出願した実用新案登録第３０７１７２７号公報に記載されるところである。
【０００６】
図１６に概略を記載すると、枠状の金属製側面板１、１と同じく枠状の金属製側面板２、２をボルト３、３、３・・・とナットとでもって止め組み立てる。さらに組み立てた金属製側面板１、１および金属製側面板２、２と底板４とをボルト５、５、５・・・とナットでもって止め、輸送用容器６を作る。
【０００７】
図１７に示すように、前述のように形成された輸送用容器６にビニール袋８、８に詰められた物品を入れる。物品が入れられた一の輸送用容器６Ａに他の輸送用容器６Ｂの係合部７、７を嵌込め重ね、フォークリスト等を使用しコンテナに収納し輸送する。輸送された物品はビニール袋ごと輸送用容器６Ａ、６Ｂから取出される。
【０００８】
図１８に示すように、空になった輸送用容器６Ａ、６Ｂはボルト３、３・・・５、５・・とナットが外され、金属製側面板１、１・・・、２、２・・・と底板４に分解される。分解された金属製側面板１、１・・・、２、２・・・と底板４は積み重ねられて回収する。
【０００９】
前述したように、物品を輸送するときには側面板と底板とをボルトとナットで組立て、回収するときには側面板と底板とを外しばらばらにして重ね合わせ輸送する。従って回収するときは物品を輸送するときより体積が約１/１０にされるので、輸送コストが低減される。
【００１０】
しかし、側面板と側面板および側面板と底板とを組み立てるのに多くのボルトとナットとを必要としたので、手間が掛かった。また回収中にボルトとナットが紛失することがある。
【００１１】
そこで、工具を用いることがなく容器本体を組立てることができるようにすると共に、輸送時には工具を用いることがなく分解できるようにした輸送用容器に関して本件出願人は２００４年１月８日に特許出願した特願２００４−００３０００に記載されているところである。
【００１２】
図１９は前述した工具を用いることがなく、組立分解できるようにした輸送用容器に用いた容器本体の斜視図である。容器本体１０はステンレス製の容器である。容器本体１０は底板１１、左右の側面板１２Ａ、１２Ｂおよび正面板１４Ａ、背面板１４Ｂとよりなる。底板１１の四隅の角部には脚体を兼ねる支持部材１６、１６が取付けられている。
【００１３】
また左右の側面板１２Ａ、１２Ｂは嵌合ピン１８、１８が前記支持部材１６、１６の嵌合溝１７、１７に嵌合することにより底板１１に対して回動自在に取付けられている。尚嵌合ピン１８、１８の先端は螺子１８Ａで止められている。前述した左右の側面板１２Ａ、１２Ｂは嵌合ピン１８、１８を中心として回動し、底板１１に対して起立した状態と畳められ、重なり合う状態とにされる。
【００１４】
正面板１４Ａ、背面板１４Ｂには左右の側面板１２Ａ、１２Ｂに取付けた係合片２０の先端部２０Ａに係合する係合部材２４を有する。係合部材２４の先端２４Ａは係合片２０の先端部２０Ａとの係合が容易になるように外方に向かって曲がっている。
【００１５】
左右の側面板１２Ａ、１２Ｂの嵌合ピン１８、１８が取付けられている側面よりやや上方にはガイド２９、２９をスライドし係止部３０、３０に係止されるスライドピン３３が取付けられている。
【００１６】
正面板１４Ａ、背面板１４Ｂの側部には留め金３６が取付けられている。
【００１７】
次に前述した輸送用容器の輸送方法を説明する。生産地等で食材等の物品を詰めて輸送するには先ず容器本体１０を組立てる。
【００１８】
図２０に示すように、手でもって底板１１に折畳まれている左の側面板１２Ａを嵌合ピン１８を中心として矢印で示す時計方向に回動させると、スライドピン３３はガイド３１をスライドされる。このとき嵌合ピン１８とスライドピン３３の距離に比較してスライドピン３３と側面板１２Ａの上端までの距離が長いのでテコの原理により、側面板１２Ａの上端を持って回動すれば、側面板１２Ａは小さい力で回動される。
【００１９】
図２１に示すように、側面板１２Ａが底板１１と直角となる完全に起立した状態ではスライドピン３３が係止部３０に係止して回動方向の動きが阻止される。またこの状態では嵌合ピン１８は突起２９Ａを乗り越え嵌合溝１７の係合部２９Ｂに位置されるため、嵌合ピン１８は係合部２９Ｂに確実に嵌合され上下方向の動きが阻止される。それにより左右の側面板１２Ａは起立状態に保持される。
【００２０】
同様にして後の側面板１２Ｂを底板１１に対して直角に起立させる。
【００２１】
次に手で持って正面板１４Ａを持上げ、正面板１４Ａの下方を支持部材１６と左の側面板１２Ａに設けた係合片２０の基板部２０Ｂ間に嵌合させると共に、保持片２５と左の側面板１２Ａの係合片２０の基板部２０Ｂ間にも嵌合させ保持し、左の側面板１２Ａと正面板１４Ａとを組立てる。同様に背面板１４Ｂを持上げ、背面板１４Ｂの下方を右の側面板１２Ｂの支持部材１６及び保持片２５０Ａと係合片２０の基板部間に嵌合させ保持させ、右の側面板１２Ｂと背面板１４Ｂとを組立てる。そして正面板１４Ａ、背面板１４Ｂにある留め金３６のスライド棒３９を係合部材２４の孔４４Ｂに挿入し左右の側面板１２Ａ、１２Ｂと正背面板１４Ａ、１４Ｂをロックすることにより上面が開放された容器本体１０が形成される。
【００２２】
開放された容器本体１０の上面から先ず底板１１上に輸送する物品を収納し、次に桟２２Ａ、２２Ａに棚板を乗せる。棚板に再び輸送する物品を収納し輸送する。
【００２３】
従って物品が容器本体１０Ａ、１０Ｂ・・から取出される。物品が取出された容器本体１０Ａ、１０Ｂ・・は次の物品の運搬のために生産地に回収されるが、容器本体１０Ａ、１０Ｂ・・のままで回収されると空間を多く占有し無駄となるので、折り畳む必要がある。
【００２４】
それには正面板１４Ａ、背面板１４Ｂにある留め金３６のスライド棒３９を後退させる。それによりスライド棒３９と孔４４Ｂとの係止が解除されるので、正面板１４Ａ、背面板１４Ｂは持上げることができる。
【００２５】
正面板１４Ａ、背面板１４Ｂを持って持上げると、係合片２０は係合部材２４より脱出され、正面板１４Ａ、背面板１４Ｂは左右の側面板１２Ａ、１２Ｂとの嵌合が解除され、ばらばらにされる。
【００２６】
その後図２２に示すように、左の側面板１２Ａを時計方向に回動させると、側面板１２Ａは嵌合ピン１８を中心として回動し、左の側面板１２Ａは底板１１上に畳まれる。底板１１には前述した方法で既に右の側面板１２Ｂが畳まれ伏せているので、側面板１２Ａは側面板１２Ｂ上に折畳まれ重ねられる。
【００２７】
支持部材１６、１６は底板１１より左右の側面板１２Ａ、１２Ｂおよび正面板１４Ａ、背面板１４ＢＡの厚みより長くされるようにしている。従って支持部材１６、１６で囲まれた空間部４７に前述の取外した正面板１４Ａ、背面板１４Ｂも側面板１２Ａ、１２Ｂに重ねることができ、空の容器本体の回収を効率的にできる。
【特許文献１】実用新案登録第３０７１７２７号公報
【特許文献２】特開２００２−１２８０７７号公報
【発明の開示】
【発明が解決しようとする課題】
【００２８】
前述した輸送用容器はボルトおよびナットを用いることなくして組立ておよび折畳みができ、左右の側面板は嵌合溝に嵌合した嵌合ピンを中心として回動し、底板に対して起立した状態と畳められ、重なり合う状態とにされるので、通常の輸送状態では左右の側面板は底板から取り外す必要はない。
【００２９】
しかし輸送用容器を清掃するときには左右の側面板も底板から離脱させる必要があるが、嵌合ピンの先端は螺子止めされているので螺子を外す必要がある。しかし螺子は錆び付いたり、噛み合わせがうまくされていないときには外れず、左右の側面板を底板から取外すに手間取った。
【課題を解決するための手段】
【００３０】
本発明はボルトおよびナットを用いることなくして組立ておよび折畳みができるようにしたものにおいて、正背面板および左右の側面板を底板から容易に取り外しができるようにした輸送用容器を実現するものであり、
金属性の底板と、前記底板に重なる折り畳み状態と直角となる起立状態と間を回動自在にすると共に前記底板から離脱可能にした金属性の左右の側面板と、前記左右の側面板に嵌合離脱自在にされた金属製の正面板と背面板とよりなり、前記底板に起立状態に保持された左右の側面板と正面板および背面板とを嵌合し容器本体を形成し、前記左右の側面板および正面板と背面板との嵌合を解除し、左右の側面板を折畳み収納状態に可能にすると共に、前記左右の側面板および正面板と背面板との嵌合を解除した状態で、前記左右の側面板を底板から離脱可能にした輸送用容器を提供する。
【００３１】
本発明は金属製の底板と、前記底板の角部に設けられ、第１、第２嵌合片およびガイド溝を有し一端が開口する嵌合溝が形成された支持部材と、前記支持部材の嵌合溝に嵌合する第１、第２嵌合ピンを有する金属製の左右の側面板と、前記左右の側面板に設けた係合片に係合される係合部材を各々有する金属製の正面板と背面板とよりなり、左右の側面板の第１嵌合ピンを第１嵌合片に嵌合し、第２嵌合ピンを第２嵌合片に嵌合することにより前記底板に起立状態に保持し、起立状態に保持された左右の側面板の係合片に正面板と背面板の係合部材を嵌合し容器本体を形成し、前記左右の側面板および正面板と背面板との嵌合を解除し、左右の側面板を第２嵌合ピンを中心に回動させることにより折畳み収納状態に可能にし、前記左右の側面板および正面板と背面板との嵌合を解除した状態で、開口から第１、第２嵌合ピンを前記嵌合溝より離脱させ、左右の側面板を底板から取外した輸送用容器を提供する。
【００３２】
本発明は前記左右の側面板の第２嵌合ピンが嵌合する前記支持部材の嵌合溝の第２嵌合片は下方斜めに傾斜させた輸送用容器を提供する。
【００３３】
本発明は金属製の底板と、前記底板の角部に設けられ、第１、第２嵌合片および前記第１、第２嵌合片を連結するガイド溝を有し一端が開口する嵌合溝が形成された支持部材と、前記支持部材の嵌合溝に嵌合する第１、第２嵌合ピンと前記第１、第２嵌合ピンを挟んで設けられ先端が左右対称に外方向に屈曲する保持片が設けられた先端部とを有する係合片が設けられ、棚板を載置する桟を一面に有する金属製の左右の側面板と、前記左右の側面板に設けた係合片に係合される係合部材を有する金属製の正面板と背面板とよりなり、前記左右の側面板の第１嵌合ピンを前記嵌合溝の第１嵌合片に嵌合し、第２嵌合ピンを第２嵌合片に嵌合することにより前記左右の側面板を前記底板に起立状態に保持し、前記支持部材と保持片で前記桟を有する面又は反対面の何れの面を内側にして起立状態に保持された左右の側面板の係合片に正面板と背面板を嵌合し容器本体を形成し、前記左右の側面板および正面板と背面板との嵌合を解除することにより、左右の側面板を第２嵌合ピンを中心に回動させることにより折畳み収納状態に可能にし、前記左右の側面板および正面板と背面板との嵌合を解除した状態で、第１、第２嵌合ピンを前記開口より前記嵌合溝から離脱させ、左右の側面板を底板から取外可能にした輸送用容器輸送用容器を提供する。
【００３４】
本発明は金属製の底板の角部に設けられ、第１、第２嵌合片およびガイド溝を有し一端が開口する嵌合溝が形成された支持部材と、前記支持部材の嵌合溝に嵌合する第１、第２嵌合ピンを有する金属製の左右の側面板と、前記左右の側面板に設けた係合片に係合される係合部材を各々有する金属製の正面板と背面板とよりなり、第１嵌合ピンを第１嵌合片に嵌合し、第２嵌合ピンを第２嵌合片に嵌合することにより左右の側面板を前記底板に起立状態に保持し、起立状態に保持された左右の側面板の係合片に正面板と背面板の係合部材を嵌合し容器本体を形成し、前記容器本体の蓋体の固定部材に別の容器本体の保持部材を載置できるようにして、容器本体を重ね合わせ輸送する輸送用容器の輸送方法を提供する。
【発明の効果】
【００３５】
本発明の輸送用容器は左右の側面板を嵌合溝に嵌合した嵌合ピンを中心として回動し、底板に対して起立した状態と、畳み重なり合う状態とにされるので、効率的な輸送をすることができる。また正面板、背面板および左右の側面板を螺子等を外すことなく底板から容易に取り外しができるようにしたので、清掃も容易にできる。
【００３６】
本発明の輸送用容器は左右の側面板を回動させる第２嵌合ピンが嵌合する前記支持部材の嵌合溝の第2嵌合片を下方斜めに傾斜させたので、第２嵌合ピンは容易に第２嵌合片の所定の位置に嵌合され第１嵌合ピンとでもって左右の側面板を起立状態に保持できる。
【００３７】
本発明の輸送用容器は左右の側面板に第１および第２嵌合ピンを挟んで設けられ左右対称に先端が外方向に屈曲する保持片が設けられた係合片を取付けたので、桟を有する面又は反対面を内側にして左右の側面板を底板に起立した状態において、支持部材と保持片でもって左右の側面板に正面板と背面板を嵌合し容器本体を形成することができるので、内部に棚板を載置する桟を位置させた輸送容器本体又は内部に棚板を載置する桟をなくした輸送容器本体の組立を同一の左右の側面板で出来、経済的である。
【発明を実施するための最良の形態】
【００３８】
本発明の輸送用容器およびそれを用いた使用方法を図１〜図１５に従って説明する。尚従来と同一構成部分は同一の符号を付する。
【００３９】
図１は本発明の輸送用容器に用いた容器本体の斜視図である。容器本体１０はステンレス製の容器である。容器本体１０は底板１１、左右の側面板１２Ａ、１２Ｂおよび正面板１４Ａ、背面板１４Ｂとよりなる。底板１１の四隅の角部には脚体を兼ねる支持部材５１、５１が取付けられている。
【００４０】
また左右の側面板１２Ａ、１２Ｂに設けられた係合片２０に有する第１、第２嵌合ピン５７、５８は支持部材５１、５１の嵌合溝５２に嵌合する。左右の側面板１２Ａ、１２Ｂは第２嵌合ピン５８、５８を中心として回動し、重なり合う状態と第１嵌合ピン５７、第２嵌合ピン５８とでもって底板１１に対して起立した状態にされる。
【００４１】
また正面板１４Ａ、背面板１４Ｂは蝶番２３、２３によって中央部から上部１４Ａ−１と下部１４Ａ−２とに折曲できるようにしている。
【００４２】
支持部材５１、５１は取付けられた底板１１より下方にも突出させ、突出させた支持部材５１、５１の下端には補強枠２６が取付けられている。底板１１と補強枠２６にはフォークリフトのフォークあるいはクレーンの爪が挿入されるように間隙２７を形成している。
【００４３】
図１および図２に示すように、左右の側面板１２Ａ、１２Ｂの側面には卍字型をなす係合片２０が取付けられ、また内側には棚板を乗せるための桟２２が設けられている。係合片２０は先端部２０Ａと基板部２０Ｂを有し、係合片２０の中央よりやや下部には保持片２５、２５および第１、第２嵌合ピン５７、５８が設けられている。
【００４４】
図３に示すように、正面板１４Ａ、背面板１４Ｂには左右の側面板１２Ａ、１２Ｂに取付けた係合片２０の先端部２０Ａに係合する係合部材２４を有する。係合部材２４の先端２４Ａは係合片２０の先端部２０Ａとの係合が容易になるように外方に向かって曲がっている。
【００４５】
図１および図４に示すように、支持部材５１、５１は長方形のステンレス製の板を直角に折曲げ断面鉤型に形成されている。折曲げられた支持部材５１、５１の一側面には第１、第２嵌合ピン５７、５８が嵌合する嵌合溝５２が形成されている。嵌合溝５２は一端が開口５３し、第１嵌合ピン５７が嵌合する第１嵌合片５４と第２嵌合ピン５８が嵌合する第２嵌合片５５および第１嵌合片５４と第２嵌合片５５とを連結するガイド溝５６を有する。第２嵌合片５５は下方に向かって傾斜している。
【００４６】
支持部材５１の高さは左右の側面板１２Ａ、１２Ｂと正面板１４Ａ、背面板１４Ｂの合計の厚さより大きくしている。
【００４７】
正面板１４Ａ、背面板１４Ｂの側部には留め金３６が取付けられている。
【００４８】
図５に示すように、留め金３６は正面板１４Ａ、背面板１４Ｂに固着された筒体３７と摘み兼止片３８を有し、筒体３７中をスライド出来るようにしたスライド棒３９となる。筒体３７にはロック部４０Ａ、４０Ｂを有し上部が開放するガイド片４０が一体に設けられている。スライド棒３９の先端は左右の側面板１２Ａ、１２Ｂに取付けられた係合片２０の先端部２０Ａに形成された孔４４Ａを経て係合部材２４の孔４４Ｂに嵌合される。またスライド棒３９の摘み兼止片３８がガイド片４０のロック部４０Ａ又はロック部４０Ｂに係止し、スライドされた位置を保持される。
【００４９】
図６は本発明の輸送用容器に用いた容器本体１０に蓋体４５で施蓋した斜視図である。蓋体４５はステンレス製で、天板４６の周囲から下方に突出され左右の側面板１２Ａ、１２Ｂおよび正面板１４Ａ、背面板１４Ｂの上辺に嵌合される側板４７と四隅の角部に取付けられた固定部材４８、４８よりなる。固定部材４８、４８は直角に折曲げられ上方に突出される二辺を有し、後述する容器本体１０を積重ねたとき、重ねられた上の容器本体１０の支持部材５１、５１を固定する役目をなす。
【００５０】
次に本輸送用容器の輸送方法を説明する。生産地等で食材等の物品を詰めて輸送するには先ず容器本体１０を組立てる。
【００５１】
図７、図８に示すように、左右の側面板１２Ａ、１２Ｂに取付られた係合片２０の第２嵌合ピン５８を開口５３から嵌合溝５２を通して第２嵌合片５５に嵌合させておく。斯かる状態で手でもって底板１１に折り畳まれている右の側面板１２Ａを第２嵌合ピン５８を中心として矢印方向に回動させる。側面板１２Ａを起立状態近くまで回動させると、図７に示すように第１嵌合ピン５７は開口５３から嵌合溝５２に挿入される。
【００５２】
図９に示すように、側面板１２Ａが底板１１と直角となる完全に起立した状態では第１嵌合ピン５７が第１嵌合片５４に嵌合し、第２嵌合ピン５８が下方に傾斜する第２嵌合片５５に嵌合し、側面板１２Ａは第１、第２嵌合ピン５７、５８でもって下方が保持され起立状態に保持される。第２嵌合ピン５８は第２嵌合片５５が下方に傾斜しているので、左右の側面板１２Ａ、１２Ｂの重みが加わって下方にスライドし所定位置に安定して保持される。
【００５３】
同様にして右の側面板１２Ｂを底板１１に対して直角に起立させる。
【００５４】
次に左右の側面板１２Ａ、１２Ｂが起立状態に保持されたら、手で持って正面板１４Ａを持上げ、正面板１４Ａの下方を支持部材５１と左の側面板１２Ａに設けた係合片２０の基板部２０Ｂ間に嵌合させると共に、保持片２５と左の側面板１２Ａの係合片２０の基板部２０Ｂ間にも嵌合させ保持し、左の側面板１２Ａと正面板１４Ａとを組立てる。
【００５５】
又背面板１４Ｂを持上げ、背面板１４Ｂの下方を右の側面板１２Ｂの支持部材５１及び保持片２５と係合片２０の基板部２０Ｂ間に嵌合させ保持させ、右の側面板１２Ｂと背面板１４Ｂとを組立てる。
【００５６】
ところで、図１０（Ａ）に示すように支持部材５１と保持片２５で側面板１４Ａの下方を側面板１２Ａに保持した状態では、側面板１４Ａの中央部から上部１４Ａ−１と下部１４Ａ−２とに折曲げられるので、容器本体１０の上部側面を開放できる。このとき蝶番２３は、取付け部２３Ａの端部の部分を直角に折曲げ形成した突出部２３Ａ―１、２３Ｂ―１の先端を軸部２３Ａ―２、２３Ａ―２としているので、折曲げられ重なる側面板１４Ａの上部１４Ａ−１と下部１４Ａ−２との間に突出部２３Ａ―１、２３Ｂ―１の長さ分の間隙Ｇができ手が挟まれることを防止している。
【００５７】
開放された上部側面から先ず底板１１上に輸送する物品５０、５０を収納し、次に桟２２Ａ、２２Ａに棚板４５を乗せる。棚板４５に再び輸送する物品５０を収納し、しかる後桟２２Ｂ、２２Ｂに棚板４６を乗せることにより、棚板４６にも輸送する物品５０、５０を収納できるので、効率よく輸送できる。
【００５８】
容器本体１０に輸送する食材等の物品を入れた後、左の側面板１４Ａの上部を蝶番２３、２３を中心として回転させると、係合片２４が左右の側面板１２Ａに設けた係合片２０の先端部２０Ａに嵌合して、左の側面板１４Ａの上部が保持される。このとき係合部材２４の先端部２４Ａが外方に向かって曲げられているので、係合片２０の先端部２０Ａと係合部材２４とが容易に係合されるようにしている。
【００５９】
また図１０（Ｂ）に示すように、正面板１４Ａの上下部１４Ａ−１、１４Ａ−２の蝶番２３が取りつけられた対向する面に互い違いに隙間防止用の桟２３Ａ―３、２３Ｂ―３がそれぞれ取り付けられている。
【００６０】
従って図１０（Ｃ）に示すように、左の側面板１４Ａの上部１４Ａ−１を蝶番２３、２３を中心として回転させ、係合部材２４が左右の側面板１２Ａに設けた係合片２０の先端部２０Ａに嵌合して左右の側面板１４Ａの上部を保持したとき、桟２３Ａ―３、２３Ｂ―３があるため上部１４Ａ−１と下部１４Ａ−２との接合面に隙間を生じることがなく、密着性が上がる。
【００６１】
係合片２０と係合部材２４を係合させた後、図１に示すように留め金３６の摘み兼止片３８を持って矢印方向にスライドさせ、スライド棒３９の先端を係合片２０の孔４４Ａおよび係合部材２４の孔４４Ｂに嵌合させ、摘み兼止片３８をロック部４０Ｂに係合しこの状態を保持する。前述したように、スライド棒３９の先端を係合片２０の孔４４Ａおよび係合部材２４の孔４４Ｂに嵌合させることにより、左右の側面板１４Ａの上部を左右の側面板１２Ａに固着される。
【００６２】
次に図６に示すように、開放する本体上面開口を蓋体４５で施蓋する。
【００６３】
図１２に示すように、一の容器本体１０Ａの底板１１と補強枠２０との間隙２７にフォークリストのフォークまたはクレーンの爪を挿入し持上げて、他の容器本体１０の蓋体４５に載置する。すると一の容器本体１０Ａの支持部材５１、５１と補強枠２６は他の容器本体１０Ｂの蓋体４５の固定部材４３と側板４２で形成される枠内に嵌め込まれ、二段重ねにされる。
【００６４】
同様にして他の容器本体を重ね、三段重ねにされた容器本体１０Ａ、１０Ｂ・・はフォークリフトまたはクレーンで持上げられ、トレーラーの載せられ運搬される。この場合に底板１１と補強枠２０との間隙２７は左右左右の四方向にあるので、どの方向からでも容器本体はフォークリフトまたはクレーンで持上げられる。
【００６５】
運搬された容器本体１０Ａ、１０Ｂ・・は目的地でフォークリフトまたはクレーンで持上げられトレーラーから下され、さらに個々の容器本体１０Ａ、１０Ｂ・・毎にされる。蓋体４５は持上げることにより外され容器本体１０の上面は開放される。
【００６６】
従って物品５０、５０が容器本体１０Ａ、１０Ｂ・・から取出される。物品が取出された容器本体１０Ａ、１０Ｂ・・は次の物品の運搬のために生産地に回収されるが、容器本体１０Ａ、１０Ｂ・・のままで回収されると空間を多く占有し無駄となるので、折り畳む必要がある。
【００６７】
それには正面板１４Ａ、背面板１４Ｂにある留め金３３の摘み兼止片３８をロック部４０Ｂより脱出させ、スライド棒３９を後退させる。それによりスライド棒３９と孔４４Ａ、４４Ｂとの係止が解除されるので、正面板１４Ａ、背面板１４Ｂは持上げることができる。
【００６８】
正面板１４Ａ、背面板１４Ｂを持って持上げると、正面板１４Ａ、背面板１４Ｂとは係合片２０の保持片２５より脱出され、正面板１４Ａ、背面板１４Ｂと左右の側面板１２Ａ、１２Ｂとの嵌合が解除され、ばらばらにされる。
【００６９】
図７に示すように、側面板１２Ａを反矢印方向に回動させると、側面板１２Ａは第２嵌合ピン５８を中心として回動し、前の側面板１２Ａは底板１１上に畳まれる。
【００７０】
図１１に示すように、底板１１には前述した方法で既に後の側面板１２Ｂが畳まれ伏せているので、側面板１２Ａは側面板１２Ｂ上に折畳まれ重ねられる。
【００７１】
支持部材５１、５１は底板１１より左右の側面板１２Ａ、１２Ｂおよび正面板１４Ａ、背面板１４ＢＡの厚みより長くされるようにしている。従って支持部材１６、１６で囲まれた空間部４７に前述の取外した正面板１４Ａ、背面板１４Ｂも側面板１２Ａ、１２Ｂに重ねることができ、回収の輸送効率を上げることができる。
【００７２】
ところで、輸送に使用するときは第１、第２嵌合ピン５７、５８は嵌合溝５２に嵌合されており、左右の側面板１２Ａ、１２Ｂは底板１１から取外すことはないが、清掃するときには、左右の面板１２Ａ、１２Ｂも底板１１から分離する必要がある。
【００７３】
図７に示すように、左の側面板１２Ａを多少反矢印方向に回動させると、起立状態にあるときに第１嵌合片５４に嵌合した第１嵌合ピン５７が嵌合溝５２より開口５３から脱出される。
【００７４】
図８に示すように、第１嵌合ピン５７が嵌合溝５２から脱出された後、左の側面板１２Ａを斜め上方に引き上げることにより第２嵌合ピン５８はガイド溝５６に導かれて上方に移動し、第２嵌合ピン５８も開口５３から嵌合溝５２より脱出され、側面板１２Ａは底板１１から分離される。
【００７５】
右の側面板１２Ｂも同様にして底板１１から分離され、ばらばらにされるので輸送用容器本体１０を容易に清掃できる。
【００７６】
輸送する物品を前述したように、棚板４５、４６に収納することにより、容器内の隙間が少なくなり効率的に輸送できる。しかし輸送する物品によってはビニール袋に入れ、そのビニール袋を直接容器に収納して運搬することがある。斯かる場合には棚板が不要なため、左右の側面版１２Ａ、１２Ｂにある桟２２が邪魔となる。前述の場合に左右の側面板１２Ａ、１２Ｂに桟があるのとないものとの両方を作ることは効率が悪い。
【００７７】
図１３は図２に示す係合片２０を改良した係合板２００で、左右の側面板１２Ａ、１２Ｂを桟２２がある面を内向きにし、桟２２がない面を外向きにすることも、逆に左右の側面板１２Ａ、１２Ｂを桟２２がある面を外向きにし、桟２２がない面を内向きにすることもでき、表裏どちらの面を向けても、左右の側面板１２Ａ、１２Ｂに正面板１４Ａおよび背面板１４Ｂを嵌合し、輸送容器本体１０を組み立てることが出来るようにした。
【００７８】
係合片２００の基板部２０２の下部には第１、第２嵌合ピン５７、５８が取付られている。又基板部２０２の表面には第１、第２嵌合ピン５７、５８を挟んで左右対称に間隔をおいて左右の先端部２０１Ａ、２０１Ｂが取付られている。左右の先端部２０１Ａ、２０１Ｂの上部の同じ位置には孔４４０Ａ、４４０Ｂが開けられており、中央より下部には左右対称に外方向に屈曲する保持片２５０Ａ、２５０Ｂが設けられている。係合片２００は左右の側面板１２Ａ、１２Ｂの側面に基板部２０２と基板部２０２から直角に側方へ延びる側部２０２Ａとでもって固着される。
【００７９】
図１４に示すように、左右の側面板１２Ａ、１２Ｂを桟２２が内向きになるようにして係合片２００の第２嵌合ピン５８を開口５３から第２嵌合片５５に嵌合させておく。
【００８０】
図７および図８に示すように、斯かる状態で手でもって底板１１に折り畳まれている右の側面板１２Ａを第２嵌合ピン５８を中心として矢印方向に回動させる。側面板１２Ａを起立状態近くまで回動させると、図７に示すように第１嵌合ピン５７は開口５３から嵌合溝５２に挿入される。
【００８１】
図９に示すように、側面板１２Ａが底板１１と直角となる完全に起立した状態では第１嵌合ピン５７が第１嵌合片５４に嵌合し、第２嵌合ピン５８が下方に傾斜する第２嵌合片５５に嵌合し、側面板１２Ａは第１、第２嵌合ピン５７、５８でもって起立状態に保持される。第２嵌合ピン５８は第２嵌合片５５が下方に傾斜しているので、左右の側面板１２Ａ、１２Ｂの重みが加わって下方にスライドし所定位置に安定して保持される。
【００８２】
同様にして右の側面板１２Ｂを底板１１に対して直角に起立させる。
【００８３】
次に左右の側面板１２Ａ、１２Ｂが起立状態に保持されたら、手で持って正面板１４Ａを持上げ、正面板１４Ａの下方を支持部材５１と左の側面板１２Ａに設けた係合片２００の基板部２０２間に嵌合させると共に、保持片２５０Ａと左の側面板１２Ａの係合片２００の基板部２５０間にも嵌合させ保持し、左の側面板１２Ａと正面板１４Ａとを組立てる。同様に背面板１４Ｂを持上げ、側面板１４Ｂの下方を右の側面板１２Ｂの支持部材５１及び保持片２５０Ａと係合片２００の基板部２０２間に嵌合させ保持させ、右の側面板１２Ｂと背面板１４Ｂとを組立てる。このようにして図１と同様に左右の側面板１２Ａ、１２Ｂの内面に桟２２が位置される輸送容器本体が組み立てられる。その後の物品の収納の仕方等は前述と同様である。
【００８４】
図１５に示すように、左右の側面板１２Ａ、１２Ｂを桟２２が外向きになるようにして係合片２００の第２嵌合ピン５８を開口５３から第２嵌合片５５に嵌合させておく。
【００８５】
図７および図８に示すように、斯かる状態において手でもって底板１１に折り畳まれている右の側面板１２Ａを第２嵌合ピン５８を中心として矢印方向に回動させる。側面板１２Ａを起立状態近くまで回動させると、図７に示すように第１嵌合ピン５７は開口５３から嵌合溝５２に挿入される。
【００８６】
図９に示すように、側面板１２Ａが底板１１と直角となる完全に起立した状態では第１嵌合ピン５７が第１嵌合片５４に嵌合し、第２嵌合ピン５８が下方に傾斜する第２嵌合片５５に嵌合し、側面板１２Ａは第１、第２嵌合ピン５７、５８でもって起立状態に保持される。第２嵌合ピン５８は第２嵌合片５５が下方に傾斜しているので、左右の側面板１２Ａ、１２Ｂの重みが加わって下方にスライドし所定位置に安定して保持される。
【００８７】
同様にして右の側面板１２Ｂを底板１１に対して直角に起立させる。
【００８８】
次に左右の側面板１２Ａ、１２Ｂが起立状態に保持されたら、手で持って正面板１４Ａを持上げ、正面板１４Ａの下方を支持部材５１と左の側面板１２Ａに設けた係合片２００の基板部２０２間に嵌合させると共に、支持部材５１と左の側面板１２Ａの係合片２００の基板部２０２間にも嵌合させ保持し、左の側面板１２Ａと正面板１４Ａとを組立てる。
【００８９】
次に背面板１４Ｂを持上げ、背面板１４Ｂの下方を支持部材５１及び係合片２００の保持片２５０Ｂと基板部２０２間に嵌合させ保持させ、右の側面板１２Ｂと背面板１４Ｂとを組立てる。このようにして図１と逆に左右の側面板１２Ａ、１２Ｂの内面に桟２２がなく、桟２２が表面に有する輸送容器本体が組み立てられる。従って桟２２に邪魔されることがなくビニール袋に挿入した荷物を入れることができる。
【図面の簡単な説明】
【００９０】
【図１】本発明の輸送用容器に用いた容器本体の斜視図である。
【図２】本発明の輸送用容器に用いられた容器本体の側面板の一部拡大斜視図である。
【図３】本発明の輸送用容器に用いた容器本体の正面板の一部拡大示す斜視図である。
【図４】本発明の輸送用容器の支持部材の部分を拡大した側面図である。
【図５】本発明の輸送用容器に用いた止め金具を示す拡大斜面図である。
【図６】本発明の輸送用容器に用いた容器本体を施蓋した状態を示す斜視図である。
【図７】本発明の輸送用容器に用いた容器本体の組立て方法を示す側面図である。
【図８】本発明の輸送用容器に用いた容器本体の分解方法を示す側面図である
【図９】本発明の輸送用容器に用いた容器本体の組立て方法を示す側面図である。
【図１０】本発明の輸送用容器に用いた容器本体に物品を収納する状態を示すもので、図１０（Ａ）は半開放状態の側面図、図１０（Ｂ）は同じく半開放状態の側面図、図１０（Ｃ）は完成状態の側面図である。
【図１１】本発明の輸送用容器に用いた容器本体の組立て方法を示す側面図である。
【図１２】本発明の輸送用容器の輸送方法を示す側面図である。
【図１３】本発明の輸送用容器に用いられた容器本体の側面板のたの実施例を示す一部拡大斜視図である。
【図１４】本発明の輸送用容器に用いた他の実施例を示す容器本体の斜視図である。
【図１５】本発明の輸送用容器に用いた他の実施例を示す容器本体の斜視図である。
【図１６】従来の輸送用容器に用いた容器本体の斜視図である。
【図１７】従来の輸送用容器の輸送方法を示す正面図である。
【図１８】従来の輸送用容器の輸送方法を示す正面図である。
【図１９】従来の輸送用容器に用いた容器本体の斜視図である。
【図２０】従来の輸送用容器に用いた容器本体の組立て方法を示す側面図である。
【図２１】従来の輸送用容器に用いた容器本体の組立て方法を示す側面図である。
【図２２】従来の輸送用容器に用いた容器本体の組立て方法を示す側面図である。
【符号の説明】
【００９１】
１０                  容器本体
１１                  底板
１２Ａ                左の側面板
１２Ｂ                右の側面板
１４Ａ                正面板
１４Ｂ                背面板
５１                  支持部材
５２                  嵌合溝
５３                  開口
５４                  第1嵌合片
５５                  第２嵌合片
５６                  ガイド溝
５７                  第１嵌合ピン
５８                  第２嵌合ピン
２００                係合片
２０１Ａ              先端部
２０１Ｂ              先端部
２５０Ａ              保持片
２５０Ｂ              保持片
【図１】
2006076646.tif 000003
【図２】
2006076646.tif 000004
【図３】
2006076646.tif 000005
【図４】
2006076646.tif 000006
【図５】
2006076646.tif 000007
【図６】
2006076646.tif 000008
【図７】
2006076646.tif 000009
【図８】
2006076646.tif 000010
【図９】
2006076646.tif 000011
【図１０】
2006076646.tif 000012
【図１１】
2006076646.tif 000013
【図１２】
2006076646.tif 000014
【図１３】
2006076646.tif 000015
【図１４】
2006076646.tif 000016
【図１５】
2006076646.tif 000017
【図１６】
2006076646.tif 000018
【図１７】
2006076646.tif 000019
【図１８】
2006076646.tif 000020
【図１９】
2006076646.tif 000021
【図２０】
2006076646.tif 000022
【図２１】
2006076646.tif 000023
【図２２】
2006076646.tif 000024